(57)【特許請求の範囲】
【請求項１】
表面張力が５５〜５８ｄｙｎ／ｃｍのアルカリイオン水に、界面活性剤を混合させた洗浄液であり、
洗浄対象物から現像トナーを除去する用途に用いる洗浄液。
【請求項２】
請求項１に記載の洗浄液において、前記界面活性剤は、質量濃度で０．６％から１．０％濃度であることを特徴とする洗浄液。
【請求項３】
請求項１又は請求項２に記載の洗浄液において、前記界面活性剤は、ヤシ油を原料とするものであることを特徴とする洗浄液。
【発明の詳細な説明】
【技術分野】
【０００１】
本発明は、洗浄液に関する。
【背景技術】
【０００２】
レーザー方式のプリンター等の機器では、これらを構成する各部品が再生利用されることがある。しかし、各部品の表面には、経年の使用によって現像トナーが付着しており、この現像トナーの付着量が一定量以上になると、各部品同士のかみ合わせの不具合などさまざまな障害が引き起こされる。そのため、各部品を再生利用する場合、各部品は、その表面に付着した現像トナーが残らないように丁寧に洗い落とされる。
【０００３】
このような洗浄をするための洗浄液としては、アルコール系の洗浄液が使われている。例えば、特許文献１では、帯電ローラを洗浄するための洗浄液としてケトン系溶媒またはケトンとアルコールの混合溶媒等のアルコール系の洗浄液を用いることが記載されている。
【先行技術文献】
【特許文献】
【０００４】
【特許文献１】特開平０６−２８９７５５号公報
【発明の概要】
【発明が解決しようとする課題】
【０００５】
しかし、プリンター等の機器は年々高性能化している。そのため、これらを構成する各部品の洗浄には、現像トナーをより確実に洗い落とすことができる高品質な洗浄が求められている。また、環境への配慮から、自然に優しい洗浄が求められている。
【０００６】
また、従来のアルコール系の洗浄剤は、消防法の関係上、防爆施設内でしか利用できない。そのため、アルコール系の洗浄剤を用いる場合は防爆施設を建設する必要があり、プリンタ等の機器を構成する部品の洗浄はコストがかかるものであった。
【０００７】
そこで本発明は、高品質で自然に優しい洗浄が可能であり、コストを抑えた洗浄が可能な洗浄液を提供することを目的とする。
【課題を解決するための手段】
【０００８】
本発明の洗浄液は、通常のアルカリイオン水よりも表面張力が小さい特殊アルカリイオン水に、界面活性剤を混合させたものであることを特徴とする。
この洗浄液は、小さい表面張力のため高い洗浄能力を有する。洗浄能力は、表面張力が小さければ高くなるが、通常のアルカリイオン水等の一般の水はアルコールに比べ表面張力が大きいので、通常、水はアルコールよりも洗浄能力が低い。しかし、この洗浄液は、通常のアルカリイオン水よりも表面張力が小さい特殊アルカリイオン水を用いているので、通常のアルカリイオン水よりも高い洗浄能力を有する。
【０００９】
また、この洗浄液は、電荷の働きによりさらに高い洗浄能力を有する。これは、洗浄対象物から現像トナーが剥離するとき、いずれも特殊アルカリイオン水から電荷を受けて、同じ電荷に帯電するため、その反発力により現像トナーが洗浄対象物から剥がれやすくなるからである。
【００１０】
さらに、この洗浄液は、界面活性剤を混合させているので、上記洗浄能力に加えさらに高い洗浄能力を有する。
このように、本発明の洗浄液は、非常に高い洗浄能力を有するので、この洗浄液を用いると、プリンター等の機器の高性能化に伴って要求される高品質な洗浄を行うことができる。
【００１１】
また、この洗浄液を構成する特殊アルカリイオン水は、電子過剰なだけなので、自然にもどすと通常の水になる。そのため、この洗浄液を用いると、自然に優しい洗浄ができる。
【００１２】
また、この洗浄液は、アルカリイオン水と界面活性剤とから構成されるものであるため、レーザー方式のプリンター等の機器で用いられる部品から現像トナーを洗い落とす洗浄を行う場合であっても、防爆施設が不要である。そのため、この洗浄液を用いると、コストを抑えた洗浄ができる。
【００１３】
尚、本発明の洗浄液は、洗浄対象物から現像トナーを除去する用途に用いてもよいが、これにかぎられるものではない。
界面活性剤は、質量濃度で０．６％から１．０％濃度としてもよい。実験では、質量濃度を０．１％刻みに変化させた洗浄液を作成し、それぞれの洗浄効果について調べた。その結果、界面活性剤が、質量濃度で０．６％から１．０％濃度の範囲内では汚れの剥離が見られたが、上記範囲外では汚れの剥離がほとんど見られなかった。本発明は、この実験での発見に基づいてなされたものである。
【００１４】
界面活性剤は、ヤシ油を原料とするものでもよい。
【発明を実施するための形態】
【００１５】
以下に本発明の例示的な実施形態について説明する。
本実施形態の洗浄液で洗浄する対象は、レーザー方式のプリンター、ＦＡＸ、コピー機等の現像トナーを用いる機器を構成する部品（例えば、ギア、バネ、コロなどメカユニット部品）である。尚、本実施形態で説明する洗浄対象はあくまでも一例であって、これに限られるものではない。
【００１６】
本実施形態の洗浄液は、通常のアルカリイオン水よりも表面張力が小さい特殊アルカリイオン水に、界面活性剤を混合させたものである。
特殊アルカリイオン水としては、商品名Ｓ−１００（株式会社エー・アイ・システムプロダクト社製）を用いる。このＳ−１００は、水素イオン濃度指数がＰＨ１２で安定し、表面張力が約５６．１ｄｙｎ／ｃｍのアルカリイオン水である。通常のアルカリイオン水は、約７２〜７３ｄｙｎ／ｃｍであるが、本実施形態のアルカリイオン水は、これよりも小さい表面張力を有する。
【００１７】
界面活性剤としては、ヤシ油を用いた界面活性剤である。この界面活性剤は、質量濃度で０．６％から１．０％濃度となるよう、その量を調整して特殊アルカリイオン水に混ぜる。界面活性剤の質量濃度を上記のように設定した理由は、超音波洗浄の場合、界面活性剤を１．０％以上配合すると界面活性剤が緩衝しあいキャビテーションの発生が阻害され洗浄力が落ちるからである。一方、界面活性剤の質量濃度を０．６％以下とすると、炭素が表面から剥離しにくくなってしまうためである。
【００１８】
以上説明した洗浄液は、その小さい表面張力のため高い洗浄能力を有する。洗浄能力は、表面張力が小さければ高くなるが、通常のアルカリイオン水等の一般の水はアルコールに比べ表面張力が大きいので、通常、水はアルコールよりも洗浄能力が低い。しかし、この洗浄液は、通常のアルカリイオン水よりも表面張力が小さい特殊アルカリイオン水を用いているので、通常のアルカリイオン水よりも高い洗浄能力を有する。
【００１９】
また、この洗浄液は、電荷の働きによりさらに高い洗浄能力を有する。これは、レーザー方式のプリンター等の機器で用いられる部品等の洗浄対象物から現像トナーが剥離するとき、いずれも特殊アルカリイオン水から電荷を受けて同じ電荷に帯電するため、その反発力により現像トナーが洗浄対象物から剥がれやすくなるからである。
【００２０】
さらに、この洗浄液は、界面活性剤を混合させているので、上記洗浄能力に加えさらに高い洗浄能力を有する。
このように、本実施形態の洗浄液は、非常に高い洗浄能力を有するので、この洗浄液を用いると、プリンター等の機器の高性能化に伴って要求される高品質な洗浄を行うことができる。
【００２１】
また、この洗浄液を構成する特殊アルカリイオン水は、電子過剰なだけであるので、この洗浄液は、自然にもどすと通常の水になる。そのため、この洗浄液を用いると、自然に優しい洗浄ができる。さらに、界面活性剤は通常の濾過装置で濾過できるので、この洗浄液は、通常の濾過装置を通すだけで廃棄することができ、しかも、その廃棄物はアルカリイオン水なので、そのまま外部に廃棄することができる。そのため、この洗浄液を用いると、自然に優しい洗浄ができる。
【００２２】
また、この洗浄液は、アルカリイオン水と界面活性剤とから構成されるものであるため、レーザー方式のプリンター等の機器で用いられる部品から現像トナーを洗い落とす洗浄を行う場合であっても、防爆施設が不要である。そのため、この洗浄液を用いると、コストを抑えた洗浄ができる。
［他の実施形態］
以上、実施形態について説明したが、特許請求の範囲に記載された発明は、上記実施形態に限定されることなく、種々の形態を採り得ることは言うまでもない。
（１）上記実施形態では、特殊アルカリイオン水としてＳ−１００を用いたが、以下のような性質を持つものであれば、これに限るものではない。特殊アルカリイオン水は、例えば、化学的な性質としては、水素イオン濃度指数がＰＨ１０．５〜ＰＨ１４で安定化したもの、また、ＰＨ１１．５〜ＰＨ１２．５で安定しているものでもよい。
（２）上記実施形態では、特殊アルカリイオン水としてＳ−１００を用いたが、以下のような性質を持つものであれば、これに限るものではない。特殊アルカリイオン水は、例えば化学的な性質としては、表面張力が２９〜６０ｄｙｎ／ｃｍのものであるもの、また５５〜５８ｄｙｎ／ｃｍであるものでもよい。
（３）上記実施形態では、洗浄対象としてギア、バネ、コロなどメカユニット部品を例示したが、帯電ローラ、ワイパーブレード、現像ローラ、ドクターブレードなどその他の部品を洗浄対象としてもよい。